(57)【要約】【課題】ストローの紛失がなく、取り扱いが便利であり、しかも装飾性に優れ、取り扱い時により大きな視覚的楽しみを発揮するストロー付きキャップを提案する。【解決手段】口頸部２にキャップ本体３を嵌着させて容器体Ｂに装着するストロー付きのキャップであって、中空の装飾部本体４ａと、該本体内に基端部を回動可能に連結するとともに、他端部を窓孔１２を介して装飾部本体外方へ揺動可能に突出した揺動部４ｂとで構成した装飾部４をキャップ本体上に設け、また、キャップ本体頂壁７から装飾部の内部空間１４を介して装飾部頂部１６を貫通するストロー５を上下動可能に設け、このストロー５の上下動により上記揺動部４ｂが揺動する如く構成した。【選択図】図１
2004149141.tif 000002
【特許請求の範囲】
【請求項１】
容器体Ｂの口頸部２に嵌着させる有頂筒状のキャップ本体３と、該本体上に設けた中空の装飾部４と、キャップ本体３の頂壁７を貫通するとともに、装飾部４の内部空間１４を通り装飾部頂部１６を貫通して上端部を上方へ突設し、且つ、上下動可能に設けたストロー５とを備え、上記装飾部４は、キャップ本体３上の中空の装飾部本体４ａと、該装飾部本体４ａ内に基端部を回動可能に連結するとともに、他端部を窓孔１２を介して装飾部本体４ａ外方へ揺動可能に突出した揺動部４ｂとで構成し、上記ストロー５と揺動部４ｂとの間に、ストロー５の上下動により揺動部４ｂを揺動させる揺動手段１６を設けてなることを特徴とするストロー付きキャップ。
【請求項２】
上記揺動手段１６が、ストロー５外周に設けた上下連続する凹凸部１７と、上記揺動部４ｂの基端部に突設して上記凹凸部１７に係合させた突起１８とで構成した揺動手段である請求項１記載のストロー付きキャップ。
【請求項３】
上記揺動部４ｂに代えて、装飾部本体４ａ内に基端部を回動可能に連結して上方へ延設するとともに、他端部に設けた表示部１３を装飾部本体４ａに穿設した窓孔１１に内側から揺動可能に臨ませた揺動部４ｂを設けてなる請求項１記載のストロー付きキャップ。
【請求項４】
上記揺動部４ｂに代えて、上記装飾部本体４ａに基端部を回動可能に連結するとともに、他端部を窓孔１２を介して外方へ揺動可能に突出した第１揺動部４ｂ１  と、第１揺動部４ｂ１  の基端部より上方へ延設するとともに、他端部に設けた表示部１３を上記装飾部本体４ａに穿設した窓孔１１に内側から揺動可能に臨ませた第２揺動部４ｂ２  とからなる揺動部４ｂを設けてなる請求項１記載のストロー付きキャップ。
【発明の詳細な説明】
【０００１】
【発明の属する技術分野】
本発明はストロー付きキャップに関する。
【０００２】
【従来の技術】
容器内の飲料液をストローで吸飲することが一般に行われているが、より便利な方法として種々の手段を備えたものが提案されている（例えば、特許文献１参照）。
【０００３】
ここに示されているストローは、ペットボトル中に差し込んだままでも蓋をすることのできるもので、伸縮自在に形成した樹脂製であり、ペットボトル中に挿入した時伸張状態にて先端がペットボトルの飲み口から突出し、飲み口に蓋をした時に蓋の内面に押圧されて収縮状態にてペットボトル中に収納されるように構成している。
【０００４】
また、ストローを固定手段によりコップに固定して収納液を吸飲する如く構成したものも提案されている（例えば、特許文献２参照）。この考案は、犬などの動物の形状を型取った固定手段をコップの開口縁部に係着し、この固定手段に貫通させたストローによりコップ内の液を吸飲する如く構成している。
【０００５】
【特許文献１】
特開２００１−０１７２９９号公報（第１−２頁，図１）
【特許文献２】
実開平０２−１２１８７１号公報（第２−７頁，図１）
【０００６】
【発明が解決しようとする課題】
前者はボトル内にストローを常時内在させておくことができるため、収納液を飲みかけのまま保管することができ、いつでも吸飲することができ、ストローを紛失する等の不都合のない便利なものである。
【０００７】
また後者は、コップにストローを安定的に固定できるため、吸飲操作がより安定して容易に行えるものであるとともに、固定手段を装飾性の高いマスコットとしているため、使用者に収納液を味わう楽しみに加えて視覚的楽しみを付加することができるものである。
【０００８】
本発明は上記前者の利点及び後者の利点を兼ね備えたストロー付きキャップを提案するものである。即ち、ストローの紛失がなく、取り扱いが便利であり、しかも、装飾性に優れ、取り扱い時により大きな視覚的な楽しみを発揮するストロー付きキャップを提案するものである。
【０００９】
【課題を解決するための手段】
本請求項１発明のストロー付きキャップは、上記課題を解決するため、容器体Ｂの口頸部２に嵌着させる有頂筒状のキャップ本体３と、該本体上に設けた中空の装飾部４と、キャップ本体３の頂壁７を貫通するとともに、装飾部４の内部空間１４を通り装飾部頂部１６を貫通して上端部を上方へ突設し、且つ、上下動可能に設けたストロー５とを備え、上記装飾部４は、キャップ本体３上の中空の装飾部本体４ａと、該装飾部本体４ａ内に基端部を回動可能に連結するとともに、他端部を窓孔１２を介して装飾部本体４ａ外方へ揺動可能に突出した揺動部４ｂとで構成し、上記ストロー５と揺動部４ｂとの間に、ストロー５の上下動により揺動部４ｂを揺動させる揺動手段１６を設けてなることを特徴とするストロー付きキャップとして構成した。
【００１０】
また、本請求項２発明のストロー付きキャップは、上記揺動手段１６が、ストロー５外周に設けた上下連続する凹凸部１７と、上記揺動部４ｂの基端部に突設して上記凹凸部１７に係合させた突起１８とで構成した揺動手段である請求項１記載のストロー付きキャップとして構成した。
【００１１】
また、請求項３発明のストロー付きキャップは、上記揺動部４ｂに代えて、装飾部本体４ａ内に基端部を回動可能に連結して上方へ延設するとともに、他端部に設けた表示部１３を装飾部本体４ａに穿設した窓孔１１に内側から揺動可能に臨ませた揺動部４ｂを設けてなる請求項１記載のストロー付きキャップとして構成した。
【００１２】
また、請求項４発明のストロー付きキャップは、上記揺動部４ｂに代えて、上記装飾部本体４ａに基端部を回動可能に連結するとともに、他端部を窓孔１２を介して外方へ揺動可能に突出した第１揺動部４ｂ１  と、第１揺動部４ｂ１  の基端部より上方へ延設するとともに、他端部に設けた表示部１３を上記装飾部本体４ａに穿設した窓孔１１に内側から揺動可能に臨ませた第２揺動部４ｂ２  とからなる揺動部４ｂを設けてなる請求項１記載のストロー付きキャップとして構成した。
【００１３】
【発明の実施の形態】
以下、本発明の実施例の形態を図面を参照して説明する。
【００１４】
本発明のストロー付きキャップＡは、容器体Ｂの口頸部２に嵌着して使用するもので、全体を合成樹脂等により形成している。
【００１５】
ストロー付きキャップＡは、キャップ本体３と、装飾部４と、ストロー５とを備えている。
【００１６】
キャップ本体３は、容器体Ｂの口頸部２に嵌着して全体を容器体Ｂに装着するためのものであり、口頸部２外周に嵌合させた周壁６の上端縁より頂壁７を延設した下端開口の有頂筒状をなしている。図示例では、頂壁７にはストロー５を上下動可能に挿通させるための透孔を穿設し、該透孔周縁の頂壁７より下方へ案内筒８を垂設している。キャップ本体３の周壁６は、口頸部２外周に螺合、或いは突条相互の乗越え係合等の通常の係止手段により係止する如く構成している。
【００１７】
装飾部４は、キャップ本体３上に設けるとともに、装飾部本体４ａと、揺動部４ｂとを備えている。また、装飾部４は、例えば、動物や植物などの生物、その他種々の物体などの形状を型取った中空のものであり、その形状は写実的なものに限らず、デフォルメしたものであっても架空のものであっても良い。
【００１８】
装飾部本体４ａは、例えば、上記した動物や植物などの生物、その他種々の物体などの形状の主要部を型取った中空のものであり、図示例の如く、一部をキャップ本体と一体に、他の一部を別体に形成しても良いし、また、別体の装飾部本体４ａをキャップ本体３に組み付けるようにしても良い。また、揺動部４ｂの組み付けが多少面倒になるが、キャップ本体と一体に形成することも可能である。
【００１９】
図示例に於ける装飾部本体４ａは、後部をキャップ本体３と一体に形成するとともに、前部をキャップ本体３と別体に形成して、前部を後部に固定する如く構成しており、この様にすることにより揺動部４ｂの組み付けが容易となる。また、装飾部本体４ａは、キャップ本体３上に設けた胴部９と、該胴部９上の頭部１０とで構成した架空の動物状をなしている。また、図１，図３に示す実施例では頭部１０の目該当位置に目の輪郭形状をなす一対の窓孔１１を設けるとともに、胴部９の両側に揺動部４ｂを揺動可能に突出させるための一対の窓孔１２を穿設している。尚、窓孔１１及び窓孔１２は装飾部４の形状等により種々の形状を採用でき、揺動部４ｂの数に合わせてその数を適宜選択できる。
【００２０】
揺動部４ｂは、装飾部本体４ａ内に基端部を回動可能に連結するとともに、後述する揺動手段の存在でストロー５を上下動させて揺動する如く構成したもので、種々の形態を採用できる。その一形態として、図１に示す如く、基端部を装飾部本体４ａ内に回動可能に連結するとともに、他端部を窓孔１２を介して装飾部本体４ａ外方へ揺動可能に突出した第１揺動部４ｂ１  と、該第１揺動部４ｂ１  の基端部より上方へ延設するとともに、他端部に設けた表示部１３を装飾部本体４ａに穿設した窓孔１１に内側から揺動可能に臨ませて構成した第２揺動部４ｂ２  とで構成したものが挙げられる。
【００２１】
上記第１揺動部４ｂ１  は、左右一対の腕の形状をなす板状をなし、上記第２揺動部４ｂ２  は前面上部に表示部１３としての黒目を設けた板状をなしている。また、第２揺動部４ｂ２  は第１揺動部４ｂ１  基端部より前方へ湾曲して、上部を装飾部本体４ａの前壁と近接している。この揺動部４ｂは基端部を装飾部本体４ａ内部の前後壁に回動可能に枢着しており、他の実施例も同様である。
【００２２】
また、揺動部４ｂは上記した二股状のものに限らず、図３及び図４に示す如く、それぞれ単独の揺動部であっても良い。即ち、図３に示す如き、装飾部本体４ａ内に基端部を回動可能に連結して上方へ延設するとともに、他端部に設けた表示部１３を装飾部本体４ａに穿設した窓孔１１に内側から揺動可能に臨ませて構成したものであっても良く、或いは図４に示す如く、基端部を装飾部本体４ａ内に回動可能に連結するとともに、他端部を窓孔１２を介して装飾部本体４ａ外方へ揺動可能に突出した形態のものであっても良い。図３に示す実施例では表示部１３としての黒目を設けた揺動部４ｂを設けており、腕は装飾部本体４ａに一体に突設している。また、図４に示す実施例では、腕の形状の揺動部４ｂを設けており、目の部分は装飾部本体４ａに印刷等により直接施している。
【００２３】
また、揺動部４ｂの具体的形状は、上記要件を満たせば図示例の如き板状のものに限らず、棒状であってもその他の形状であっても良い。また、揺動部４ｂの数は、図示例の如き２箇所に限らず、１箇所であっても、３箇所以上の複数箇所であっても良く、装飾部本体４ａの形状等に対応させて適宜選択することができる。
【００２４】
ストロー５は、キャップ本体３の頂壁７から装飾部４の内部空間１４を通り、装飾部頂部１５を貫通して上端部を上方に突設し、下端部を装着した容器体Ｂ内下部に垂下させて容器体内収納液を吸飲可能に構成している。また、ストロー５は、キャップ本体３と別体に形成して上下動可能に装着している。
【００２５】
ストロー５と揺動部４ｂとの間には、ストロー５の上下動により揺動部４ｂを揺動させる揺動手段１６を設けている。この揺動手段１６は種々の形態を採用できるが、図示例では、ストロー５の外周に上下に連続する凹凸部１７を設け、また、揺動部４ｂの基端部の内側には凹凸部１７と係合させた突起１８をそれぞれ突設している。また、図示しないが、ストロー５の外周に間隔をあけて多数の突条を周設し、一方、揺動部には上記突条と係合可能な突起を突設するとともに、揺動部４ｂの枢着部分に揺動部４ｂを常時上方へ付勢させるトーションバネ等の弾性部材を付設した揺動手段としても良い。
【００２６】
上記の如く構成したストロー付きキャップＡは、例えば、図１の状態からストロー５を上方へ移動させると、ストロー５の凹凸部１７と揺動部４ｂの突起１８との係合により揺動部４ｂが上下に揺動する。具体的には、ストロー５の上昇に伴い凹凸部１７の凸部１７ａ  が突起１８を押し上げる際に揺動部４ｂは時計廻りに回動し、次いで凸部１７ａ  は変形しつつ突起１８を強制的に乗越える際に弾性復元して突起１８上面を押し下げるため揺動部４ｂは反時計廻りに回動し、その結果、第１揺動部４ｂ１  は上下に揺動する。また、第２揺動部４ｂ２  も同様に左右に揺動し、黒目が窓孔１１内を左右に移行する。
【００２７】
また、揺動部４ｂ部分に弾性部材を設けて揺動部４ｂを上方に付勢させる場合には、上記突条が突起１８を押し上げて付勢力に抗して第１揺動部４ｂ１  を時計廻りに回動させた後、上記突条が突起１８を乗り越えた際に弾性部材の弾性復元力により揺動部４ｂ１  が反時計廻りに回動し、揺動部が同様に揺動する。
【００２８】
【発明の効果】
以上説明した如く本発明ストロー付きキャップは、既述構成としたことにより、ストローが常時固定されているためストローを紛失する虞がなく、即座に吸飲できるため取り扱いも便利である。しかも、装飾部の存在により取り扱い時により大きな視覚的楽しみを発揮するものである。
【００２９】
上記ストロー５外周に設けた上下に連続する凹凸部１７と、上記揺動部４ｂの基端部に突設して上記凹凸部１７に係合させた突起１８とで構成した揺動手段を設けたものにあっては、構造が簡単で、製造が容易となる利点を兼ね備えている。
【００３０】
装飾部本体４ａ内に基端部を回動可能に連結して上方へ延設するとともに、他端部に設けた表示部１３を装飾部本体４ａに穿設した窓孔１１に内側から揺動可能に臨ませた揺動部４ｂを設けてなるものにあっては、同様に取り扱い時により大きな視覚的楽しみを発揮するものである。
【００３１】
上記装飾部本体４ａに基端部を回動可能に連結するとともに、他端部を窓孔１２を介して外方へ揺動可能に突出した第１揺動部４ｂ１  と、第１揺動部４ｂ１  の基端部より上方へ延設するとともに、他端部に設けた表示部１３を上記装飾部本体４ａに穿設した窓孔１１に内側から揺動可能に臨ませた第２揺動部４ｂ２  とからなる揺動部４ｂを設けてなるものにあっては、ストローを上下動することにより、突出部分の揺動、窓孔内の表示部の揺動が同時に観察できさらに大きな視覚的楽しみを付与するものである。
【図面の簡単な説明】
【図１】本発明の一実施例を示す半断面図である。
【図２】同実施例の側面図である。
【図３】本発明の他の実施例を示す半断面図である。
【図４】本発明の更に他の実施例を示す半断面図である。
【符号の説明】
２…口頸部，３…キャップ本体，４…装飾部，４ａ：装飾部本体，
４ｂ…揺動部，４ｂ１  ：第１揺動部，４ｂ２  …第２揺動部，５…ストロー，
１１…窓孔，１２…窓孔，１３…表示部，１４…内部空間，１５…装飾部頂部，
１６…揺動手段，１７…凹凸部，１８…突起，Ａ…ストロー付きキャップ，
Ｂ…容器体
【図１】
2004149141.tif 000003
【図２】
2004149141.tif 000004
【図３】
2004149141.tif 000005
【図４】
2004149141.tif 000006